(57)【要約】      （修正有）【課題】構造が簡単で、筐体内壁を清掃することが便利で、清掃効果も良い撹拌装置の提供。【解決手段】支持台１０に固定的に取り付けられるハウジング１１を含み、前記ハウジングに筐体１６が設置され、前記筐体の底壁に外部と連結する輸送溝２７が設置され、前記輸送溝に閉鎖弁２６が固定的に取り付けられ、前記筐体の頂壁に外部と連結する引入溝２０が設置され、前記筐体の頂壁にまた第一配置溝１７と前記第一配置溝の上に位置する第二配置溝２４が設置され、前記第一配置溝の底壁に上下に伸長する第一転栓軸１４が回転可能なように取り付けられる。【選択図】図１
2019171352.tif 000002
【特許請求の範囲】
【請求項１】
数値制御工作機械装置であって、支持台に固定的に取り付けられるハウジングを含み、前記支持台の四つの角底にスピン穴が設置され、且つ全ての前記スピン穴にスピンピッチ角が係合し取り付けられ、前記スピンピッチ角を通じて地面がでこぼこしている時に昇降調整を行って支持する時の安定性を増加でき、前記ハウジングに筐体が設置され、前記筐体の底壁に外部と連結する輸送溝が設置され、前記輸送溝に閉鎖弁が固定的に取り付けられ、前記筐体の頂壁に外部と連結する引入溝が設置され、前記筐体の頂壁に第一配置溝と前記第一配置溝の上に位置する第二配置溝が設置され、前記第一配置溝の底壁に上下に伸長する第一転栓軸が回転可能なように取り付けられ、前記第一転栓軸の上端が第二配置溝に伸びてタレットが固定的に取り付けられ、下端が前記筐体に伸びて上下が交錯しかき回すアームが取り付けられ、前記第一転栓軸に上下が連結する空穴が設置され、前記空穴がベアリングを通じて上下に伸長する第二転栓軸が回転可能なように取り付けられ、前記第二転栓軸が前記タレットと前記第一配置溝の頂壁を通り抜けて前記第二配置溝に伸びて、前記第二配置溝に前記第二転栓軸と固定的に接続する第一円錐形プーリーが設置され、前記第一配置溝に第三転栓軸を通じて第一ギアが取り付けられ、前記第三転栓軸の上端が前記第一配置溝の頂壁に固定的に取り付けられる第一電動機と動力が伝達可能なように接続し、前記タレットに前記第一ギアと係合し接続するリングギアが固定的に設置され、前記第二配置溝の右端壁に上下に伸長する第一滑り溝が設置され、前記第一滑り溝に上下に滑る滑りブロックが取り付けられ、前記滑りブロックに上下に伸長するロータが係合し取り付けられ、前記ロータの下端は前記第一滑り溝の下端壁に回転可能なように取り付けられ、上端は前記第一滑り溝の頂壁に固定的に取り付けられる第二電動機と動力が伝達可能なように接続し、前記第二配置溝が第四転栓軸を通じて前記第一円錐形プーリーと係合し接続する第二円錐形プーリーが設置され、前記第四転栓軸が前記滑りブロックに固定的に取り付けられる第三電動機と動力が伝達可能なように接続し、前記空穴に前記かき回すアームと対応し前記第二転栓軸と固定的に接続する巻糸輪が設置され、前記かき回すアームに左右が連結する第二滑り溝が設置され、前記第二滑り溝が前記空穴の間に互いに連結する第一連結溝が設置され、前記第二滑り溝に左右に滑る滑り軸が取り付けられ、前記滑り軸に左右が連結する第二連結溝が設置され、前記かき回すアームが前記第一転栓軸と離れる一端に前記滑り軸と固定的に接続する接連ブロックが設置され、前記接連ブロックに上下が連結し溝口が前記第一転栓軸と離れる第四滑り溝が設置され、前記第四滑り溝に上下が対称に上下に滑るそぐアームが取り付けられ、前記第四滑り溝が前記第二滑り溝の間に第三連結溝が設置され、前記第四滑り溝が軸レバーを通じて二つのそぐアームの間に位置する定滑車を回転可能なように取り付け、二つのそぐアームが相対する端面にロープが固定的に取り付けられ、前記ロープが前記定滑車を迂回し順番に前記第三連結溝、第二連結溝と第一連結溝を通り抜けて前記巻糸輪と固定的に接続し、前記タレットにロック装置が設置され、前記第一配置溝の頂壁に前記ロック装置と係合することに用いる電気連続装置が設置され、前記ロック装置は前記タレットに設置される第一転倉と前記第一転倉が設置され、前記第二転栓軸と固定的に接続する第二ギアを含み、前記第一転倉が前記第二ギアと離れる端壁に第五滑り溝が設置され、前記第五滑り溝に鉄ブロックが摺動可能なように取り付けられ、前記鉄ブロックが前記第二ギアに向かう端面に前記第二ギアと係合するロックギアが設置され、前記第五滑り溝が前記第二ギアと離れる端壁に前記鉄ブロックと係合する電磁装置が固定的に取り付けられ、前記第五滑り溝の上下の端壁に対称に第一導移溝が設置され、前記第一導移溝に前記鉄ブロックと固定的に接続する第一導移ブロックが摺動可能なように取り付けられ、前記第一導移溝に前記第一導移ブロックと接続する第一弾力件が取り付けられ、前記電気連続装置は前記第一配置溝の頂壁に設置される前記第二転倉に設置され、前記第二転栓軸と固定的に接続する導電輪を含み、前記第二転倉の右端壁に第六滑り溝が設置され、前記第六滑り溝に第一電気連続ブロックが摺動可能なように取り付けられ、前記第一電気連続ブロックの右端面に前記第五滑り溝の右端壁と相殺する第二弾力件が固定的に取り付けられ、前記第二弾力件が前記第一電気連続ブロックを左に押圧し前記導電輪と相殺し、前記第五滑り溝の右端壁の前記第一滑り溝の底壁に前記第一電気連続ブロックと電気的に接続する第二電気連続ブロックが固定的に取り付けられ、前記滑りブロックの下端面に商用電源と接続し、前記第二電気連続ブロックと係合する電力供給ブロックが固定的に取り付けられ、前記第二滑り溝の上下の端壁に対称に第二導移溝が設置され、前記第二導移溝に前記滑り軸と固定的に接続する第二導移ブロックが摺動可能なように取り付けられ、前記第二導移溝に前記第二導移ブロックと固定的に接続する第三弾力件が固定的に取り付けられ、前記第四滑り溝に上下に対称に第三導移溝が設置され、前記第三導移溝に前記そぐアームと固定的に接続する第三導移ブロックが摺動可能なように取り付けられ、前記第三導移溝に前記第三導移ブロックと固定的に接続する第四弾力件が固定的に取り付けられることを特徴とする数値制御工作機械装置。
【発明の詳細な説明】
【技術分野】
【０００１】
本発明は機械化設備技術分野に関し、具体的には数値制御工作機械装置に関する。
【背景技術】
【０００２】
数値制御工作機械は現在の工業加工生産の中で広く使用され、数値制御工作機械を一回使用したら洗浄剤を使って清掃する必要があり、洗浄剤は強い刺激性を持つため、攪拌装置を使ってかき混ぜる必要があり、しかし伝統的な攪拌装置の設定モードは簡単で、使用した後に自動的に清掃することを実現できず、内部に多くの試薬残留物が残して、二回目に使用する際に深刻な影響がある。
【先行技術文献】
【特許文献】
【０００３】
【特許文献１】中国特許出願公開第107755758号明細書
【発明の概要】
【発明が解決しようとする課題】
【０００４】
上記の技術の不足に対して、本発明は数値制御工作機械装置を提供した。
【課題を解決するための手段】
【０００５】
本発明に係る数値制御工作機械装置は、支持台に固定的に取り付けられるハウジングを含み、前記支持台の四つの角底にスピン穴が設置され、且つ全ての前記スピン穴にスピンピッチ角が係合し取り付けられ、前記スピンピッチ角を通じて地面がでこぼこしている時に昇降調整を行って、支持する時の安定性を増加できる。前記ハウジングに筐体が設置され、前記筐体の底壁に外部と連結する輸送溝が設置され、前記輸送溝に閉鎖弁が固定的に取り付けられ、前記筐体の頂壁に外部と連結する引入溝が設置され、前記筐体の頂壁にまた第一配置溝と前記第一配置溝の上に位置する第二配置溝が設置され、前記第一配置溝の底壁に上下に伸長する第一転栓軸が回転可能なように取り付けられ、前記第一転栓軸の上端が第二配置溝に伸びてタレットが固定的に取り付けられ、下端が前記筐体に伸びて上下が交錯しかき回すアームが取り付けられ、前記第一転栓軸に上下が連結する空穴が設置され、前記空穴がベアリングを通じて上下に伸長する第二転栓軸が回転可能なように取り付けられ、前記第二転栓軸が前記タレットと前記第一配置溝の頂壁を通り抜けて前記第二配置溝に伸びて、前記第二配置溝に前記第二転栓軸と固定的に接続する第一円錐形プーリーが設置され、前記第一配置溝に第三転栓軸を通じて第一ギアが取り付けられ、前記第三転栓軸の上端が前記第一配置溝の頂壁に固定的に取り付けられる第一電動機と動力が伝達可能なように接続し、前記タレットに前記第一ギアと係合し接続するリングギアが固定的に設置され、前記第二配置溝の右端壁に上下に伸長する第一滑り溝が設置され、前記第一滑り溝に上下に滑る滑りブロックが取り付けられ、前記滑りブロックに上下に伸長するロータが係合し取り付けられ、前記ロータの下端は前記第一滑り溝の下端壁に回転可能なように取り付けられ、上端は前記第一滑り溝の頂壁に固定的に取り付けられる第二電動機と動力が伝達可能なように接続し、前記第二配置溝が第四転栓軸を通じて前記第一円錐形プーリーと係合し接続する第二円錐形プーリーが設置され、前記第四転栓軸が前記滑りブロックに固定的に取り付けられる第三電動機と動力が伝達可能なように接続し、前記空穴に前記かき回すアームと対応し前記第二転栓軸と固定的に接続する巻糸輪が設置され、前記かき回すアームに左右が連結する第二滑り溝が設置され、前記第二滑り溝が前記空穴の間に互いに連結する第一連結溝が設置され、前記第二滑り溝に左右に滑る滑り軸が取り付けられ、前記滑り軸に左右が連結する第二連結溝が設置され、前記かき回すアームが前記第一転栓軸と離れる一端に前記滑り軸と固定的に接続する接連ブロックが設置され、前記接連ブロックに上下が連結し溝口が前記第一転栓軸と離れる第四滑り溝が設置され、前記第四滑り溝に上下が対称に上下に滑るそぐアームが取り付けられ、前記第四滑り溝が前記第二滑り溝の間に第三連結溝が設置され、前記第四滑り溝が軸レバーを通じて二つのそぐアームの間に位置する定滑車を回転可能なように取り付け、二つのそぐアームが相対する端面にロープが固定的に取り付けられ、前記ロープが前記定滑車を迂回し順番に前記第三連結溝、第二連結溝と第一連結溝を通り抜けて前記巻糸輪と固定的に接続し、前記タレットにロック装置が設置され、前記第一配置溝の頂壁に前記ロック装置と係合することに用いる電気連続装置が設置される。
【０００６】
好ましくは、前記ロック装置は前記タレットに設置される第一転倉と前記第一転倉に設置され、前記第二転栓軸と固定的に接続する第二ギアを含み、前記第一転倉が前記第二ギアと離れる端壁に第五滑り溝が設置され、前記第五滑り溝に鉄ブロックが摺動可能なように取り付けられ、前記鉄ブロックが前記第二ギアに向かう端面に前記第二ギアと係合するロックギアが設置され、前記第五滑り溝が前記第二ギアと離れる端壁に前記鉄ブロックと係合する電磁装置が固定的に取り付けられ、前記第五滑り溝の上下の端壁に対称に第一導移溝が設置され、前記第一導移溝に前記鉄ブロックと固定的に接続する第一導移ブロックが摺動可能なように取り付けられ、前記第一導移溝に前記第一導移ブロックと接続する第一弾力件が取り付けられる。
【０００７】
前記電気連続装置は前記第一配置溝の頂壁に設置される第二転倉と前記第二転倉に設置され、前記第二転栓軸と固定的に接続する導電輪を含み、前記第二転倉の右端壁に第六滑り溝が設置され、前記第六滑り溝に第一電気連続ブロックが摺動可能なように取り付けられ、前記第一電気連続ブロックの右端面に前記第五滑り溝の右端壁と相殺する第二弾力件が固定的に取り付けられ、前記第二弾力件が前記第一電気連続ブロックを左に押圧し前記導電輪とずっと相殺し、前記第五滑り溝の右端壁の前記第一滑り溝の底壁に前記第一電気連続ブロックと電気的に接続する第二電気連続ブロックが固定的に取り付けられ、前記滑りブロックの下端面に商用電源と接続し前記第二電気連続ブロックと係合する電力供給ブロックが固定的に取り付けられる。
【０００８】
好ましくは、前記第二滑り溝の上下の端壁に対称に第二導移溝が設置され、前記第二導移溝に前記滑り軸と固定的に接続する第二導移ブロックが摺動可能なように取り付けられ、前記第二導移溝にまた前記第二導移ブロックと固定的に接続する第三弾力件が固定的に取り付けられる。
【０００９】
好ましくは、前記第四滑り溝に上下に対称に第三導移溝が設置され、前記第三導移溝に前記そぐアームと固定的に接続する第三導移ブロックが摺動可能なように取り付けられ、前記第三導移溝にまた前記第三導移ブロックと固定的に接続する第四弾力件が固定的に取り付けられる。
【発明の効果】
【００１０】
本発明の有益な効果は、本発明が初期状態の時、前記滑りブロックが前記第一滑り溝の頂壁と相殺し、前記電力供給ブロックが前記第二電気連続ブロックと接触せず、前記巻糸輪が前記ロープを巻き付け、これにより前記そぐアームを完全に前記第四滑り溝に収縮させ、前記接連ブロックが前記かき回すアームと相殺し、前記接連ブロックと前記そぐアームが前記かき回すアームの回転を影響しなく、前記第一弾力件の作用で、前記第一導移ブロックが第二ギアに向かって押圧され前記ロックギアと前記第二ギアを噛み合わせて、これにより前記巻糸輪が安定に前記ロープを巻き付ける。
【図面の簡単な説明】
【００１１】
本発明の実施例また既存の技術の中の技術方案をもっと明確に説明するため、下記に実施例また既存の技術の説明の中に使用する必要がある図面に簡単な紹介を行って、一目でわかることは下記の説明の中の図面はただ本発明のいくつかの実施例で、本領域の当業者にとって、創造的な労働を払わないことを前提に、これらの図面に基づいてそのほかの図面を得ることができる。
【００１２】
【図１】図１は本発明の数値制御工作機械装置の構造概略図である。
【図２】図２は図１の中のタレット所の拡大構造概略図である。
【図３】図３は図１の中のかき回すアーム所の拡大構造概略図である。
【図４】図４は図３の中の矢印の方向の構造概略図である。
【図５】図５は本発明の支持台の底部の構造概略図である。
【発明を実施するための形態】
【００１３】
本明細書に開示した全ての特徴、或いは開示した全ての方法、過程中のステップは、互いに排斥する特徴或いはステップ以外に、いかなる方式で組み合わせることができる。
【００１４】
本明細書に開示した全ての特徴は、特別な記述がない限り、そのほかの同等或いは類似する目的を持つ代替的な特徴に取り替えられる。つまり特別な記述がない限り、全ての特徴はただ一連の同等或いは類似する特徴の中の一つの例だけである。
【００１５】
図１−図５が示すように、本発明の数値制御工作機械装置は支持台10に固定的に取り付けられるハウジング11を含み、前記支持台10の四つの角底にスピン穴101が設置され、且つ全ての前記スピン穴101にスピンピッチ角102が係合し取り付けられ、前記スピンピッチ角102を通じて地面がでこぼこしている時に昇降調整を行って、支持する時の安定性を増加できる。前記ハウジング11に筐体16が設置され、前記筐体16の底壁に外部と連結する輸送溝27が設置され、前記輸送溝27に閉鎖弁26が固定的に取り付けられ、前記筐体16の頂壁に外部と連結する引入溝20が設置され、前記筐体16の頂壁にまた第一配置溝17と前記第一配置溝17の上に位置する第二配置溝24が設置され、前記第一配置溝17の底壁に上下に伸長する第一転栓軸14が回転可能なように取り付けられ、前記第一転栓軸14の上端が第二配置溝24に伸びてタレット18が固定的に取り付けられ、下端が前記筐体16に伸びて上下が交錯しかき回すアーム15が取り付けられ、前記第一転栓軸14に上下が連結する空穴13が設置され、前記空穴13がベアリングを通じて上下に伸長する第二転栓軸21が回転可能なように取り付けられ、前記第二転栓軸21が前記タレット18と前記第一配置溝17の頂壁を通り抜けて前記第二配置溝24に伸びて、前記第二配置溝24に前記第二転栓軸21と固定的に接続する第一円錐形プーリー39が設置され、前記第一配置溝17に第三転栓軸23を通じて第一ギア25が取り付けられ、前記第三転栓軸23の上端が前記第一配置溝17の頂壁に固定的に取り付けられる第一電動機22と動力が伝達可能なように接続し、前記タレット18に前記第一ギア25と係合し接続するリングギア19が固定的に設置され、前記第二配置溝24の右端壁に上下に伸長する第一滑り溝31が設置され、前記第一滑り溝31に上下に滑る滑りブロック33が取り付けられ、前記滑りブロック33に上下に伸長するロータ32が係合し取り付けられ、前記ロータ32の下端は前記第一滑り溝31の下端壁に回転可能なように取り付けられ、上端は前記第一滑り溝31の頂壁に固定的に取り付けられる第二電動機34と動力が伝達可能なように接続し、前記第二配置溝24が第四転栓軸36を通じて前記第一円錐形プーリー39と係合し接続する第二円錐形プーリー37が設置され、前記第四転栓軸36が前記滑りブロック33に固定的に取り付けられる第三電動機35と動力が伝達可能なように接続し、前記空穴13に前記かき回すアーム15と対応し前記第二転栓軸21と固定的に接続する巻糸輪12が設置され、前記かき回すアーム15に左右が連結する第二滑り溝50が設置され、前記第二滑り溝50が前記空穴13の間に互いに連結する第一連結溝49が設置され、前記第二滑り溝50に左右に滑る滑り軸63が取り付けられ、前記滑り軸63に左右が連結する第二連結溝51が設置され、前記かき回すアーム15が前記第一転栓軸14と離れる一端に前記滑り軸63と固定的に接続する接連ブロック58が設置され、前記接連ブロック58に上下が連結し溝口が前記第一転栓軸14と離れる第四滑り溝52が設置され、前記第四滑り溝52に上下が対称に上下に滑るそぐアーム64が取り付けられ、前記第四滑り溝52が前記第二滑り溝50の間に第三連結溝が設置され、前記第四滑り溝52が軸レバー59を通じて二つのそぐアーム64の間に位置する定滑車53を回転可能なように取り付け、二つのそぐアーム64が相対する端面にロープ57が固定的に取り付け��れ、前記ロープ57が前記定滑車53を迂回し順番に前記第三連結溝、第二連結溝51と第一連結溝49を通り抜けて前記巻糸輪12と固定的に接続し、前記タレット18にロック装置が設置され、前記第一配置溝17の頂壁に前記ロック装置と係合することに用いる電気連続装置が設置される。
【００１６】
好ましくは前記ロック装置は前記タレット18に設置される第一転倉40と前記第一転倉40に設置され前記第二転栓軸21と固定的に接続する第二ギア42を含み、前記第一転倉40が前記第二ギア42と離れる端壁に第五滑り溝47が設置され、前記第五滑り溝47に鉄ブロック43が摺動可能なように取り付けられ、前記鉄ブロック43が前記第二ギア42に向かう端面に前記第二ギア42と係合するロックギアが設置され、前記第五滑り溝47が前記第二ギア42と離れる端壁に前記鉄ブロック43と係合する電磁装置48が固定的に取り付けられ、前記第五滑り溝47の上下の端壁に対称に第一導移溝46が設置され、前記第一導移溝46に前記鉄ブロック43と固定的に接続する第一導移ブロック44が摺動可能なように取り付けられ、前記第一導移溝46に前記第一導移ブロック44と接続する第一弾力件45が取り付けられ、前記第一弾力件45が前記第一導移ブロック44を前記第二ギア42に向かって押圧し前記ロックギアを前記第二ギア42と噛み合わせる。
【００１７】
好ましくは前記電気連続装置は前記第一配置溝26の頂壁に設置される第二転倉40と前記第二転倉40に設置され前記第二転栓軸21と固定的に接続する導電輪41を含み、前記第二転倉40の右端壁に第六滑り溝29が設置され、前記第六滑り溝29に第一電気連続ブロック27が摺動可能なように取り付けられ、前記第一電気連続ブロック27の右端面に前記第五滑り溝29の右端壁と相殺する第二弾力件28が固定的に取り付けられ、前記第二弾力件28が前記第一電気連続ブロック27を左に押圧し前記導電輪41とずっと相殺し、前記第五滑り溝29の右端壁の前記第一滑り溝31の底壁に前記第一電気連続ブロック27と電気的に接続する第二電気連続ブロック30が固定的に取り付けられ、前記滑りブロック33の下端面に商用電源と接続し前記第二電気連続ブロック30と係合する電力供給ブロック38が固定的に取り付けられ、これにより前記電力供給ブロック38が前記第二電気連続ブロック30と相殺する時、前記電磁装置48に電力を供給する。
【００１８】
好ましくは前記第二滑り溝50の上下の端壁に対称に第二導移溝54が設置され、前記第二導移溝54に前記滑り軸63と固定的に接続する第二導移ブロック55が摺動可能なように取り付けられ、前記第二導移溝54にまた前記第二導移ブロック55と固定的に接続する第三弾力件56が固定的に取り付けられ、前記第三弾力件56が前記第二導移ブロック55を巻糸輪12と離れて押圧する。
【００１９】
好ましくは前記第四滑り溝52に上下に対称に第三導移溝62が設置され、前記第三導移溝62に前記そぐアーム64と固定的に接続する第三導移ブロック61が摺動可能なように取り付けられ、前記第三導移溝62にまた前記第三導移ブロック61と固定的に接続する第四弾力件60が固定的に取り付けられ、前記第四弾力件60が前記第三導移ブロック61を前記定滑車53と離れて押圧する。
【００２０】
使用する時、前記閉鎖弁26を閉めて、前記引入溝20から洗浄剤と水を前記筐体16に加え、その後に第一電動機22を起動し、前記第一電動機22が前記第一ギア25を通じて前記タレット18を回転可能なように駆動し、前記タレット18が前記第一転栓軸14と連動して回転可能にし、前記第一転栓軸14が前記かき回すアーム15と連動して回転可能なように洗浄剤と水をかき混ぜて、洗浄剤と水の混合が完了した後、閉鎖弁26を起動し、試薬混合物が前記輸送溝27から流れ出て、全部の試薬混合物が流れ出た後、前記閉鎖弁26を閉めて、前記引入溝20にきれいな水を加え、その後に前記第二電動機34を起動し、前記第二電動機34が前記ロータ32を通じて前記滑りブロック33を駆動し下にスライドし、前記電力供給ブロック38が前記第二電気連続ブロック30と相殺する時、前記電磁装置48に電力を供給し前記鉄ブロック43に働きかけて、これにより前記ロックギアと前記第二ギア42と離れて噛み合って、この時に前記第二円錐形プーリー37が前記第一円錐形プーリー39と噛み合って、その後に前記第三電動機35を起動し、前記第三電動機35が前記第二転栓軸21を回転可能なように駆動し前記巻糸輪12と連動して前記ロープ57に巻戻し作業を行って、前記第三弾力件56と第四弾力件60の作用で、前記接連ブロック58と前記そぐアーム64が前記筐体16の内壁と張り合わせ、前記そぐアーム64が上下に伸びて、その後に逆に前記第二電動機34を起動し、前記第二電動機34が前記ロータ32を通じて前記滑りブロック33を駆動し上にスライドして前記第二円錐形プーリー37と前記第一円錐形プーリー39と離れて噛み合って、前記電力供給ブロック38と前記第二電気連続ブロック30と離れて相殺し、その後に前記第一電動機22を起動し、前記第一電動機22が前記第一転栓軸14を回転可能なように駆動し、前記第一転栓軸14が前記接連ブロック58とそぐアーム54と連動して前記筐体16の内壁を清掃し、清掃した後の廃水は前記輸送溝27を通じて排出する。
【００２１】
本発明の有益な効果は、本発明が初期状態の時、前記滑りブロックが前記第一滑り溝の頂壁と相殺し、前記電力供給ブロックが前記第二電気連続ブロックと接触せず、前記巻糸輪が前記ロープを巻き付け、これにより前記そぐアームを完全に前記第四滑り溝に収縮させ、前記接連ブロックが前記かき回すアームと相殺し、前記接連ブロックと前記そぐアームが前記かき回すアームの回転を影響しなく、前記第一弾力件の作用で、前記第一導移ブロックが第二ギアに向かって押圧され前記ロックギアと前記第二ギアを噛み合わせて、これにより前記巻糸輪が安定に前記ロープを巻き付ける。
【００２２】
本発明を使用する時、前記閉鎖弁を閉めて、前記引入溝から洗浄剤と水を前記筐体に加え、その後に第一電動機を起動し、前記第一電動機が前記第一ギアを通じて前記タレットを回転可能なように駆動し、前記タレットが前記第一転栓軸と連動して回転可能にし、前記第一転栓軸が前記かき回すアームと連動して回転可能なように洗浄剤と水をかき混ぜる。
【００２３】
全部の試薬混合物が流れ出た後、前記閉鎖弁を閉めて、前記引入溝にきれいな水を加え、その後に前記第二電動機を起動し、前記第二電動機が前記ロータを通じて前記滑りブロックを駆動し下にスライドし、前記電力供給ブロックが前記第二電気連続ブロックと相殺する時、前記電磁装置に電力を供給し前記鉄ブロックに働きかけて、これにより前記ロックギアと前記第二ギアと離れて噛み合って、この時に前記第二円錐形プーリーが前記第一円錐形プーリーと噛み合って、その後に前記第三電動機を起動し、前記第三電動機が前記第二転栓軸を回転可能なように駆動し前記巻糸輪と連動して前記ロープに巻戻し作業を行って、前記第三弾力件と第四弾力件の作用で、前記接連ブロックと前記そぐアームが前記筐体の内壁と張り合わせ、前記そぐアームが上下に伸びて、その後に逆に前記第二電動機を起動し、前記第二電動機が前記ロータを通じて前記滑りブロックを駆動し上にスライドして前記第二円錐形プーリーと前記第一円錐形プーリーと離れて噛み合って、前記電力供給ブロックと前記第二電気連続ブロックと離れて相殺し、その後に前記第一電動機を起動し、前記第一電動機が前記第一転栓軸を回転可能なように駆動し、前記第一転栓軸が前記接連ブロックとそぐアームと連動して前記筐体の内壁を清掃する。
【００２４】
本発明は構造が簡単で、筐体内壁を清掃することが便利で、清掃効果も良い。
【００２５】
以上に本発明の基本原理、主な特徴と本発明の長所を表明し説明した。本業界の技術者が了解すべきなのは本発明は上記の実施例の制限を受けなく、上記の実施例と説明書に説明したのは本発明の原理で、本発明の意義と原理から離れない前提に本発明に各種の変化と改善があり、これらの変化と改善が本発明の保護範囲にある。本発明の保護範囲は添付の特許請求の範囲と同等内容に画定される。
【図１】
2019171352.tif 000003
【図２】
2019171352.tif 000004
【図３】
2019171352.tif 000005
【図４】
2019171352.tif 000006
【図５】
2019171352.tif 000007
【手続補正書】
【提出日】令和1年6月17日(2019.6.17)
【手続補正１】
【補正対象書類名】特許請求の範囲
【補正対象項目名】請求項１
【補正方法】変更
【補正の内容】
【請求項１】
数値制御工作機械装置であって、支持台に固定的に取り付けられるハウジングを含み、前記支持台の四つの角底にスピン穴が設置され、且つ全ての前記スピン穴にスピンピッチ角が係合し取り付けられ、前記スピンピッチ角を通じて地面がでこぼこしている時に昇降調整を行って支持する時の安定性を増加でき、前記ハウジングに筐体が設置され、前記筐体の底壁に外部と連結する輸送溝が設置され、前記輸送溝に閉鎖弁が固定的に取り付けられ、前記筐体の頂壁に外部と連結する引入溝が設置され、前記筐体の頂壁に第一配置溝と前記第一配置溝の上に位置する第二配置溝が設置され、前記第一配置溝の底壁に上下に伸長する第一回転軸が回転可能なように取り付けられ、前記第一回転軸の上端が第二配置溝に伸びて回転ブロックが固定的に取り付けられ、下端が前記筐体に伸びて上下が交錯し撹拌ブロックが取り付けられ、前記第一回転軸に上下に貫通している空穴が設置され、前記空穴の中にはベアリングを通じて上下に伸長する第二回転軸が回転可能なように取り付けられ、前記第二回転軸が前記回転ブロックと前記第一配置溝の頂壁を通り抜けて前記第二配置溝に伸びて、前記第二配置溝に前記第二回転軸と固定的に接続する第一円錐形プーリーが設置され、前記第一配置溝に第三回転軸を通じて第一ギアが取り付けられ、前記第三回転軸の上端が前記第一配置溝の頂壁に固定的に取り付けられる第一電動機と動力が伝達可能なように接続し、前記回転ブロックに前記第一ギアと係合し接続するリングギアが固定的に設置され、前記第二配置溝の右端壁に上下に伸長する第一滑り溝が設置され、前記第一滑り溝に上下に滑る滑りブロックが取り付けられ、前記滑りブロックに上下に伸長するロータが係合し取り付けられ、前記ロータの下端は前記第一滑り溝の下端壁に回転可能なように取り付けられ、上端は前記第一滑り溝の頂壁に固定的に取り付けられる第二電動機と動力が伝達可能なように接続し、前記第二配置溝の中には第四回転軸を通じて前記第一円錐形プーリーと係合し接続する第二円錐形プーリーが設置され、前記第四回転軸が前記滑りブロックに固定的に取り付けられる第三電動機と動力が伝達可能なように接続し、前記空穴に前記撹拌ブロックと対応し前記第二回転軸と固定的に接続する巻糸輪が設置され、前記撹拌ブロックに左右に貫通している第二滑り溝が設置され、前記第二滑り溝と前記空穴との間には互いに連結する第一連結溝が設置され、前記第二滑り溝に左右に滑る滑り軸が取り付けられ、前記滑り軸に左右に貫通している第二連結溝が設置され、前記撹拌ブロックが前記第一回転軸と離れる一端に前記滑り軸と固定的に接続する接連ブロックが設置され、前記接連ブロックに上下に貫通しており、且つ溝口が前記第一回転軸と離れる第四滑り溝が設置され、前記第四滑り溝に上下が対称に上下に滑る清掃板が取り付けられ、前記第四滑り溝と前記第二滑り溝との間には第三連結溝が設置され、前記第四滑り溝が軸レバーを通じて二つの清掃板の間に位置する定滑車を回転可能なように取り付け、二つの清掃板が相対する端面にロープが固定的に取り付けられ、前記ロープが前記定滑車を迂回し順番に前記第三連結溝、第二連結溝と第一連結溝を通り抜けて前記巻糸輪と固定的に接続し、前記回転ブロックにロック装置が設置され、前記第一配置溝の頂壁に前記ロック装置と係合することに用いる電力供給装置が設置され、前記ロック装置は前記回転ブロックの中に設置される第一回転チャンバを含み、前記第一回転チャンバの中には前記第二回転軸に固定的に設置される第二ギアが設置され、前記第一回転チャンバが前記第二ギアと離れる端壁に第五滑り溝が設置され、前記第五滑り溝に鉄ブロックが摺動可能なように取り付けられ、前記鉄ブロックが前記第二ギアに向かう端面に前記第二ギアと係合するロックギアが設置され、前記第五滑り溝が前記第二ギアと離れる端壁に前記鉄ブロックと係合する電磁吸引装置が固定的に取り付けられ、前記第五滑り溝の上下の端壁に対称に第一導移溝が設置され、前記第一導移溝に前記鉄ブロックと固定的に接続する第一導移ブロックが摺動可能なように取り付けられ、前記第一導移溝に前記第一導移ブロックと接続する第一ばねが取り付けられ、前記電力供給装置は前記第一配置溝の頂壁に設置される第二回転チャンバに設置され、前記第二回転軸と固定的に接続する導電輪を含み、前記第二回転チャンバの右端壁に第六滑り溝が設置され、前記第六滑り溝に第一通電ブロックが摺動可能なように取り付けられ、前記第一通電ブロックの右端面に前記第五滑り溝の右端壁と当接する第二ばねが固定的に取り付けられ、前記第二ばねが前記第一通電ブロックを左に押圧し前記導電輪と当接させ、前記第五滑り溝の右端壁の前記第一滑り溝の底壁に前記第一通電ブロックと電気的に接続する第二通電ブロックが固定的に取り付けられ、前記滑りブロックの下端面に商用電源と接続し、前記第二通電ブロックと係合する電力供給ブロックが固定的に取り付けられ、前記第二滑り溝の上下の端壁に対称に第二導移溝が設置され、前記第二導移溝に前記滑り軸と固定的に接続する第二導移ブロックが摺動可能なように取り付けられ、前記第二導移溝に前記第二導移ブロックと固定的に接続する第三ばねが固定的に取り付けられ、前記第四滑り溝に上下に対称に第三導移溝が設置され、前記第三導移溝に前記清掃板と固定的に接続する第三導移ブロックが摺動可能なように取り付けられ、前記第三導移溝に前記第三導移ブロックと固定的に接続する第四ばねが固定的に取り付けられることを特徴とする数値制御工作機械装置。
【手続補正２】
【補正対象書類名】明細書
【補正対象項目名】全文
【補正方法】変更
【補正の内容】
【発明の詳細な説明】
【技術分野】
【０００１】
本発明は機械化設備技術分野に関し、具体的には数値制御工作機械装置に関する。
【背景技術】
【０００２】
数値制御工作機械は現在の工業加工生産の中で広く使用され、数値制御工作機械を一回使用したら洗浄剤を使って清掃する必要があり、洗浄剤は強い刺激性を持つため、攪拌装置を使ってかき混ぜる必要があり、しかし伝統的な攪拌装置の設定モードは簡単で、使用した後に自動的に清掃することを実現できず、内部に多くの試薬残留物が残して、二回目に使用する際に深刻な影響がある。
【先行技術文献】
【特許文献】
【０００３】
【特許文献１】中国特許出願公開第107755758号明細書
【発明の概要】
【発明が解決しようとする課題】
【０００４】
上記の技術の不足に対して、本発明は数値制御工作機械装置を提供した。
【課題を解決するための手段】
【０００５】
本発明に係る数値制御工作機械装置は、支持台に固定的に取り付けられるハウジングを含み、前記支持台の四つの角底にスピン穴が設置され、且つ全ての前記スピン穴にスピンピッチ角が係合し取り付けられ、前記スピンピッチ角を通じて地面がでこぼこしている時に昇降調整を行って、支持する時の安定性を増加できる。前記ハウジングに筐体が設置され、前記筐体の底壁に外部と連結する輸送溝が設置され、前記輸送溝に閉鎖弁が固定的に取り付けられ、前記筐体の頂壁に外部と連結する引入溝が設置され、前記筐体の頂壁にまた第一配置溝と前記第一配置溝の上に位置する第二配置溝が設置され、前記第一配置溝の底壁に上下に伸長する第一回転軸が回転可能なように取り付けられ、前記第一回転軸の上端が第二配置溝に伸びて回転ブロックが固定的に取り付けられ、下端が前記筐体に伸びて上下が交錯し撹拌ブロックが取り付けられ、前記第一回転軸に上下に貫通している空穴が設置され、前記空穴の中にはベアリングを通じて上下に伸長する第二回転軸が回転可能なように取り付けられ、前記第二回転軸が前記回転ブロックと前記第一配置溝の頂壁を通り抜けて前記第二配置溝に伸びて、前記第二配置溝に前記第二回転軸と固定的に接続する第一円錐形プーリーが設置され、前記第一配置溝に第三回転軸を通じて第一ギアが取り付けられ、前記第三回転軸の上端が前記第一配置溝の頂壁に固定的に取り付けられる第一電動機と動力が伝達可能なように接続し、前記回転ブロックに前記第一ギアと係合し接続するリングギアが固定的に設置され、前記第二配置溝の右端壁に上下に伸長する第一滑り溝が設置され、前記第一滑り溝に上下に滑る滑りブロックが取り付けられ、前記滑りブロックに上下に伸長するロータが係合し取り付けられ、前記ロータの下端は前記第一滑り溝の下端壁に回転可能なように取り付けられ、上端は前記第一滑り溝の頂壁に固定的に取り付けられる第二電動機と動力が伝達可能なように接続し、前記第二配置溝の中には第四回転軸を通じて前記第一円錐形プーリーと係合し接続する第二円錐形プーリーが設置され、前記第四回転軸が前記滑りブロックに固定的に取り付けられる第三電動機と動力が伝達可能なように接続し、前記空穴に前記撹拌ブロックと対応し前記第二回転軸と固定的に接続する巻糸輪が設置され、前記撹拌ブロックに左右に貫通している第二滑り溝が設置され、前記第二滑り溝と前記空穴との間には互いに連結する第一連結溝が設置され、前記第二滑り溝に左右に滑る滑り軸が取り付けられ、前記滑り軸に左右に貫通している第二連結溝が設置され、前記撹拌ブロックが前記第一回転軸と離れる一端に前記滑り軸と固定的に接続する接連ブロックが設置され、前記接連ブロックに上下に貫通しており、且つ溝口が前記第一回転軸と離れる第四滑り溝が設置され、前記第四滑り溝に上下が対称に上下に滑る清掃板が取り付けられ、前記第四滑り溝と前記第二滑り溝との間には第三連結溝が設置され、前記第四滑り溝が軸レバーを通じて二つの清掃板の間に位置する定滑車を回転可能なように取り付け、二つの清掃板が相対する端面にロープが固定的に取り付けられ、前記ロープが前記定滑車を迂回し順番に前記第三連結溝、第二連結溝と第一連結溝を通り抜けて前記巻糸輪と固定的に接続し、前記回転ブロックにロック装置が設置され、前記第一配置溝の頂壁に前記ロック装置と係合することに用いる電力供給装置が設置される。
【０００６】
好ましくは、前記ロック装置は前記回転ブロックの中に設置される第一回転チャンバを含み、前記第一回転チャンバの中には前記第二回転軸に固定的に設置される第二ギアが設置され、前記第一回転チャンバが前記第二ギアと離れる端壁に第五滑り溝が設置され、前記第五滑り溝に鉄ブロックが摺動可能なように取り付けられ、前記鉄ブロックが前記第二ギアに向かう端面に前記第二ギアと係合するロックギアが設置され、前記第五滑り溝が前記第二ギアと離れる端壁に前記鉄ブロックと係合する電磁吸引装置が固定的に取り付けられ、前記第五滑り溝の上下の端壁に対称に第一導移溝が設置され、前記第一導移溝に前記鉄ブロックと固定的に接続する第一導移ブロックが摺動可能なように取り付けられ、前記第一導移溝に前記第一導移ブロックと接続する第一ばねが取り付けられる。
【０００７】
前記電力供給装置は前記第一配置溝の頂壁に設置される第二回転チャンバと前記第二回転チャンバに設置され、前記第二回転軸と固定的に接続する導電輪を含み、前記第二回転チャンバの右端壁に第六滑り溝が設置され、前記第六滑り溝に第一通電ブロックが摺動可能なように取り付けられ、前記第一通電ブロックの右端面に前記第五滑り溝の右端壁と当接する第二ばねが固定的に取り付けられ、前記第二ばねが前記第一通電ブロックを左に押圧し前記導電輪とずっと当接させ、前記第五滑り溝の右端壁の前記第一滑り溝の底壁に前記第一通電ブロックと電気的に接続する第二通電ブロックが固定的に取り付けられ、前記滑りブロックの下端面に商用電源と接続し前記第二通電ブロックと係合する電力供給ブロックが固定的に取り付けられる。
【０００８】
好ましくは、前記第二滑り溝の上下の端壁に対称に第二導移溝が設置され、前記第二導移溝に前記滑り軸と固定的に接続する第二導移ブロックが摺動可能なように取り付けられ、前記第二導移溝にまた前記第二導移ブロックと固定的に接続する第三ばねが固定的に取り付けられる。
【０００９】
好ましくは、前記第四滑り溝に上下に対称に第三導移溝が設置され、前記第三導移溝に前記清掃板と固定的に接続する第三導移ブロックが摺動可能なように取り付けられ、前記第三導移溝にまた前記第三導移ブロックと固定的に接続する第四ばねが固定的に取り付けられる。
【発明の効果】
【００１０】
本発明の有益な効果は、本発明が初期状態の時、前記滑りブロックが前記第一滑り溝の頂壁と当接し、前記電力供給ブロックが前記第二通電ブロックと接触せず、前記巻糸輪が前記ロープを巻き付け、これにより前記清掃板を完全に前記第四滑り溝に収縮させ、前記接連ブロックが前記撹拌ブロックと当接し、前記接連ブロックと前記清掃板が前記撹拌ブロックの回転を影響しなく、前記第一ばねの作用で、前記第一導移ブロックが第二ギアに向かって押圧され前記ロックギアと前記第二ギアを噛み合わせて、これにより前記巻糸輪が安定に前記ロープを巻き付ける。
【図面の簡単な説明】
【００１１】
本発明の実施例また既存の技術の中の技術方案をもっと明確に説明するため、下記に実施例また既存の技術の説明の中に使用する必要がある図面に簡単な紹介を行って、一目でわかることは下記の説明の中の図面はただ本発明のいくつかの実施例で、本領域の当業者にとって、創造的な労働を払わないことを前提に、これらの図面に基づいてそのほかの図面を得ることができる。
【００１２】
【図１】図１は本発明の数値制御工作機械装置の構造概略図である。
【図２】図２は図１の中の回転ブロック所の拡大構造概略図である。
【図３】図３は図１の中の撹拌ブロック所の拡大構造概略図である。
【図４】図４は図３の中の矢印の方向の構造概略図である。
【図５】図５は本発明の支持台の底部の構造概略図である。
【発明を実施するための形態】
【００１３】
本明細書に開示した全ての特徴、或いは開示した全ての方法、過程中のステップは、互いに排斥する特徴或いはステップ以外に、いかなる方式で組み合わせることができる。
【００１４】
本明細書に開示した全ての特徴は、特別な記述がない限り、そのほかの同等或いは類似する目的を持つ代替的な特徴に取り替えられる。つまり特別な記述がない限り、全ての特徴はただ一連の同等或いは類似する特徴の中の一つの例だけである。
【００１５】
図１−図５が示すように、本発明の数値制御工作機械装置は支持台10に固定的に取り付けられるハウジング11を含み、前記支持台10の四つの角底にスピン穴101が設置され、且つ全ての前記スピン穴101にスピンピッチ角102が係合し取り付けられ、前記スピンピッチ角102を通じて地面がでこぼこしている時に昇降調整を行って、支持する時の安定性を増加できる。前記ハウジング11に筐体16が設置され、前記筐体16の底壁に外部と連結する輸送溝27が設置され、前記輸送溝27に閉鎖弁26が固定的に取り付けられ、前記筐体16の頂壁に外部と連結する引入溝20が設置され、前記筐体16の頂壁にまた第一配置溝17と前記第一配置溝17の上に位置する第二配置溝24が設置され、前記第一配置溝17の底壁に上下に伸長する第一回転軸14が回転可能なように取り付けられ、前記第一回転軸14の上端が第二配置溝24に伸びて回転ブロック18が固定的に取り付けられ、下端が前記筐体16に伸びて上下が交錯し撹拌ブロック15が取り付けられ、前記第一回転軸14に上下に貫通している空穴13が設置され、前記空穴13の中にはベアリングを通じて上下に伸長する第二回転軸21が回転可能なように取り付けられ、前記第二回転軸21が前記回転ブロック18と前記第一配置溝17の頂壁を通り抜けて前記第二配置溝24に伸びて、前記第二配置溝24に前記第二回転軸21と固定的に接続する第一円錐形プーリー39が設置され、前記第一配置溝17に第三回転軸23を通じて第一ギア25が取り付けられ、前記第三回転軸23の上端が前記第一配置溝17の頂壁に固定的に取り付けられる第一電動機22と動力が伝達可能なように接続し、前記回転ブロック18に前記第一ギア25と係合し接続するリングギア19が固定的に設置され、前記第二配置溝24の右端壁に上下に伸長する第一滑り溝31が設置され、前記第一滑り溝31に上下に滑る滑りブロック33が取り付けられ、前記滑りブロック33に上下に伸長するロータ32が係合し取り付けられ、前記ロータ32の下端は前記第一滑り溝31の下端壁に回転可能なように取り付けられ、上端は前記第一滑り溝31の頂壁に固定的に取り付けられる第二電動機34と動力が伝達可能なように接続し、前記第二配置溝24の中には第四回転軸36を通じて前記第一円錐形プーリー39と係合し接続する第二円錐形プーリー37が設置され、前記第四回転軸36が前記滑りブロック33に固定的に取り付けられる第三電動機35と動力が伝達可能なように接続し、前記空穴13に前記撹拌ブロック15と対応し前記第二回転軸21と固定的に接続する巻糸輪12が設置され、前記撹拌ブロック15に左右に貫通している第二滑り溝50が設置され、前記第二滑り溝50と前記空穴13との間には互いに連結する第一連結溝49が設置され、前記第二滑り溝50に左右に滑る滑り軸63が取り付けられ、前記滑り軸63に左右に貫通している第二連結溝51が設置され、前記撹拌ブロック15が前記第一回転軸14と離れる一端に前記滑り軸63と固定的に接続する接連ブロック58が設置され、前記接連ブロック58に上下に貫通しており、且つ溝口が前記第一回転軸14と離れる第四滑り溝52が設置され、前記第四滑り溝52に上下が対称に上下に滑る清掃板64が取り付けられ、前記第四滑り溝52と前記第二滑り溝50との間には第三連結溝が設置され、前記第四滑り溝52が軸レバー59を通じて二つの清掃板64の間に位置する定滑車53を回転可能なように取り付け、二つの清掃板64が相対���る端面にロープ57が固定的に取り付けられ、前記ロープ57が前記定滑車53を迂回し順番に前記第三連結溝、第二連結溝51と第一連結溝49を通り抜けて前記巻糸輪12と固定的に接続し、前記回転ブロック18にロック装置が設置され、前記第一配置溝17の頂壁に前記ロック装置と係合することに用いる電力供給装置が設置される。
【００１６】
好ましくは前記ロック装置は前記回転ブロック18の中に設置される第一回転チャンバ65を含み、前記第一回転チャンバ65の中には前記第二回転軸21に固定的に設置される第二ギア42が設置され、前記第一回転チャンバ65が前記第二ギア42と離れる端壁に第五滑り溝47が設置され、前記第五滑り溝47に鉄ブロック43が摺動可能なように取り付けられ、前記鉄ブロック43が前記第二ギア42に向かう端面に前記第二ギア42と係合するロックギアが設置され、前記第五滑り溝47が前記第二ギア42と離れる端壁に前記鉄ブロック43と係合する電磁吸引装置48が固定的に取り付けられ、前記第五滑り溝47の上下の端壁に対称に第一導移溝46が設置され、前記第一導移溝46に前記鉄ブロック43と固定的に接続する第一導移ブロック44が摺動可能なように取り付けられ、前記第一導移溝46に前記第一導移ブロック44と接続する第一ばね45が取り付けられ、前記第一ばね45が前記第一導移ブロック44を前記第二ギア42に向かって押圧し前記ロックギアを前記第二ギア42と噛み合わせる。
【００１７】
好ましくは前記電力供給装置は前記第一配置溝26の頂壁に設置される第二回転チャンバ40と前記第二回転チャンバ40に設置され前記第二回転軸21と固定的に接続する導電輪41を含み、前記第二回転チャンバ40の右端壁に第六滑り溝29が設置され、前記第六滑り溝29に第一通電ブロック27が摺動可能なように取り付けられ、前記第一通電ブロック27の右端面に前記第五滑り溝29の右端壁と当接する第二ばね28が固定的に取り付けられ、前記第二ばね28が前記第一通電ブロック27を左に押圧し前記導電輪41とずっと当接させ、前記第五滑り溝29の右端壁の前記第一滑り溝31の底壁に前記第一通電ブロック27と電気的に接続する第二通電ブロック30が固定的に取り付けられ、前記滑りブロック33の下端面に商用電源と接続し前記第二通電ブロック30と係合する電力供給ブロック38が固定的に取り付けられ、これにより前記電力供給ブロック38が前記第二通電ブロック30と当接する時、前記電磁吸引装置48に電力を供給する。
【００１８】
好ましくは前記第二滑り溝50の上下の端壁に対称に第二導移溝54が設置され、前記第二導移溝54に前記滑り軸63と固定的に接続する第二導移ブロック55が摺動可能なように取り付けられ、前記第二導移溝54にまた前記第二導移ブロック55と固定的に接続する第三ばね56が固定的に取り付けられ、前記第三ばね56が前記第二導移ブロック55を巻糸輪12と離れて押圧する。
【００１９】
好ましくは前記第四滑り溝52に上下に対称に第三導移溝62が設置され、前記第三導移溝62に前記清掃板64と固定的に接続する第三導移ブロック61が摺動可能なように取り付けられ、前記第三導移溝62にまた前記第三導移ブロック61と固定的に接続する第四ばね60が固定的に取り付けられ、前記第四ばね60が前記第三導移ブロック61を前記定滑車53と離れて押圧する。
【００２０】
使用する時、前記閉鎖弁26を閉めて、前記引入溝20から洗浄剤と水を前記筐体16に加え、その後に第一電動機22を起動し、前記第一電動機22が前記第一ギア25を通じて前記回転ブロック18を回転可能なように駆動し、前記回転ブロック18が前記第一回転軸14と連動して回転可能にし、前記第一回転軸14が前記撹拌ブロック15と連動して回転可能なように洗浄剤と水をかき混ぜて、洗浄剤と水の混合が完了した後、閉鎖弁26を起動し、試薬混合物が前記輸送溝27から流れ出て、全部の試薬混合物が流れ出た後、前記閉鎖弁26を閉めて、前記引入溝20にきれいな水を加え、その後に前記第二電動機34を起動し、前記第二電動機34が前記ロータ32を通じて前記滑りブロック33を駆動し下にスライドし、前記電力供給ブロック38が前記第二通電ブロック30と当接する時、前記電磁吸引装置48に電力を供給し前記鉄ブロック43に働きかけて、これにより前記ロックギアと前記第二ギア42と離れて噛み合って、この時に前記第二円錐形プーリー37が前記第一円錐形プーリー39と噛み合って、その後に前記第三電動機35を起動し、前記第三電動機35が前記第二回転軸21を回転可能なように駆動し前記巻糸輪12と連動して前記ロープ57に巻戻し作業を行って、前記第三ばね56と第四ばね60の作用で、前記接連ブロック58と前記清掃板64が前記筐体16の内壁と張り合わせ、前記清掃板64が上下に伸びて、その後に逆に前記第二電動機34を起動し、前記第二電動機34が前記ロータ32を通じて前記滑りブロック33を駆動し上にスライドして前記第二円錐形プーリー37と前記第一円錐形プーリー39と離れて噛み合って、前記電力供給ブロック38と前記第二通電ブロック30と離れて当接し、その後に前記第一電動機22を起動し、前記第一電動機22が前記第一回転軸14を回転可能なように駆動し、前記第一回転軸14が前記接連ブロック58と清掃板54と連動して前記筐体16の内壁を清掃し、清掃した後の廃水は前記輸送溝27を通じて排出する。
【００２１】
本発明の有益な効果は、本発明が初期状態の時、前記滑りブロックが前記第一滑り溝の頂壁と当接し、前記電力供給ブロックが前記第二通電ブロックと接触せず、前記巻糸輪が前記ロープを巻き付け、これにより前記清掃板を完全に前記第四滑り溝に収縮させ、前記接連ブロックが前記撹拌ブロックと当接し、前記接連ブロックと前記清掃板が前記撹拌ブロックの回転を影響しなく、前記第一ばねの作用で、前記第一導移ブロックが第二ギアに向かって押圧され前記ロックギアと前記第二ギアを噛み合わせて、これにより前記巻糸輪が安定に前記ロープを巻き付ける。
【００２２】
本発明を使用する時、前記閉鎖弁を閉めて、前記引入溝から洗浄剤と水を前記筐体に加え、その後に第一電動機を起動し、前記第一電動機が前記第一ギアを通じて前記回転ブロックを回転可能なように駆動し、前記回転ブロックが前記第一回転軸と連動して回転可能にし、前記第一回転軸が前記撹拌ブロックと連動して回転可能なように洗浄剤と水をかき混ぜる。
【００２３】
全部の試薬混合物が流れ出た後、前記閉鎖弁を閉めて、前記引入溝にきれいな水を加え、その後に前記第二電動機を起動し、前記第二電動機が前記ロータを通じて前記滑りブロックを駆動し下にスライドし、前記電力供給ブロックが前記第二通電ブロックと当接する時、前記電磁吸引装置に電力を供給し前記鉄ブロックに働きかけて、これにより前記ロックギアと前記第二ギアと離れて噛み合って、この時に前記第二円錐形プーリーが前記第一円錐形プーリーと噛み合って、その後に前記第三電動機を起動し、前記第三電動機が前記第二回転軸を回転可能なように駆動し前記巻糸輪と連動して前記ロープに巻戻し作業を行って、前記第三ばねと第四ばねの作用で、前記接連ブロックと前記清掃板が前記筐体の内壁と張り合わせ、前記清掃板が上下に伸びて、その後に逆に前記第二電動機を起動し、前記第二電動機が前記ロータを通じて前記滑りブロックを駆動し上にスライドして前記第二円錐形プーリーと前記第一円錐形プーリーと離れて噛み合って、前記電力供給ブロックと前記第二通電ブロックと離れて当接し、その後に前記第一電動機を起動し、前記第一電動機が前記第一回転軸を回転可能なように駆動し、前記第一回転軸が前記接連ブロックと清掃板と連動して前記筐体の内壁を清掃する。
【００２４】
本発明は構造が簡単で、筐体内壁を清掃することが便利で、清掃効果も良い。
【００２５】
以上に本発明の基本原理、主な特徴と本発明の長所を表明し説明した。本業界の技術者が了解すべきなのは本発明は上記の実施例の制限を受けなく、上記の実施例と説明書に説明したのは本発明の原理で、本発明の意義と原理から離れない前提に本発明に各種の変化と改善があり、これらの変化と改善が本発明の保護範囲にある。本発明の保護範囲は添付の特許請求の範囲と同等内容に画定される。
【手続補正書】
【提出日】令和1年8月15日(2019.8.15)
【手続補正１】
【補正対象書類名】特許請求の範囲
【補正対象項目名】請求項１
【補正方法】変更
【補正の内容】
【請求項１】
数値制御工作機械装置であって、支持台に固定的に取り付けられるハウジングを含み、前記支持台の四つの角底にスピン穴が設置され、且つ全ての前記スピン穴にスピンピッチ角が係合し取り付けられ、前記スピンピッチ角を通じて地面がでこぼこしている時に昇降調整を行って支持する時の安定性を増加でき、前記ハウジングに筐体が設置され、前記筐体の底壁に外部と連結する輸送溝が設置され、前記輸送溝に閉鎖弁が固定的に取り付けられ、前記筐体の頂壁に外部と連結する引入溝が設置され、前記筐体の頂壁に第一装着空間と前記第一装着空間の上に位置する第二装着空間が設置され、前記第一装着空間の底壁に上下に伸長する第一回転軸が回転可能なように取り付けられ、前記第一回転軸の上端が第二装着空間に伸びて回転ブロックが固定的に取り付けられ、下端が前記筐体に伸びて撹拌ブロックが取り付けられ、前記第一回転軸に上下に貫通している空穴が設置され、前記空穴の中にはベアリングを通じて上下に伸長する第二回転軸が回転可能なように取り付けられ、前記第二回転軸が前記回転ブロックと前記第一装着空間の頂壁を通り抜けて前記第二装着空間に伸びて、前記第二装着空間に前記第二回転軸と固定的に接続する第一円錐形プーリーが設置され、前記第一装着空間に第三回転軸を通じて第一ギアが取り付けられ、前記第三回転軸の上端が前記第一装着空間の頂壁に固定的に取り付けられる第一電動機と動力が伝達可能なように接続し、前記回転ブロックに前記第一ギアと係合し接続するリングギアが固定的に設置され、前記第二装着空間の右端壁に上下に伸長する第一滑り空間が設置され、前記第一滑り空間に上下に滑る滑りブロックが取り付けられ、前記滑りブロックに上下に伸長するロータが係合し取り付けられ、前記ロータの下端は前記第一滑り空間の下端壁に回転可能なように取り付けられ、上端は前記第一滑り空間の頂壁に固定的に取り付けられる第二電動機と動力が伝達可能なように接続し、前記第二装着空間の中には第四回転軸を通じて前記第一円錐形プーリーと係合し接続する第二円錐形プーリーが設置され、前記第四回転軸が前記滑りブロックに固定的に取り付けられる第三電動機と動力が伝達可能なように接続し、前記空穴に前記撹拌ブロックと対応し前記第二回転軸と固定的に接続する巻糸輪が設置され、前記撹拌ブロックに左右に貫通している第二滑り空間が設置され、前記第二滑り空間と前記空穴との間には互いに連結する第一連結溝が設置され、前記第二滑り空間に左右に滑る滑り軸が取り付けられ、前記滑り軸に左右に貫通している第二連結溝が設置され、前記撹拌ブロックが前記第一回転軸と離れる一端に前記滑り軸と固定的に接続する接連ブロックが設置され、前記接連ブロックに上下に貫通しており、且つ溝口が前記第一回転軸と離れる第三滑り空間が設置され、前記第三滑り空間に上下が対称に上下に滑る清掃板が取り付けられ、前記第三滑り空間と前記第二滑り空間との間には第三連結溝が設置され、前記第三滑り空間が軸レバーを通じて二つの清掃板の間に位置する定滑車を回転可能なように取り付け、二つの清掃板が相対する端面にロープが固定的に取り付けられ、前記ロープが前記定滑車を迂回し順番に前記第三連結溝、第二連結溝と第一連結溝を通り抜けて前記巻糸輪と固定的に接続し、前記回転ブロックにロック装置が設置され、前記第一装着空間の頂壁に電力供給装置が設置され、前記ロック装置は前記回転ブロックの中に設置される第一回転チャンバを含み、前記第一回転チャンバの中には前記第二回転軸に固定的に設置される第二ギアが設置され、前記第一回転チャンバが前記第二ギアと離れる端壁に第五滑り溝が設置され、前記第五滑り溝に鉄ブロックが摺動可能なように取り付けられ、前記鉄ブロックが前記第二ギアに向かう端面に前記第二ギアと係合するロックギアが設置され、前記第五滑り溝が前記第二ギアと離れる端壁に前記鉄ブロックと係合する電磁吸引装置が固定的に取り付けられ、前記第五滑り溝の上下の端壁に対称に第一導移溝が設置され、前記第一導移溝に前記鉄ブロックと固定的に接続する第一導移ブロックが摺動可能なように取り付けられ、前記第一導移溝に前記第一導移ブロックと接続する第一ばねが取り付けられ、前記電力供給装置は前記第一装着空間の頂壁に設置される第二回転チャンバに設置され、前記第二回転軸と固定的に接続する導電輪を含み、前記第二回転チャンバの右端壁に第六滑り溝が設置され、前記第六滑り溝に第一通電ブロックが摺動可能なように取り付けられ、前記第一通電ブロックの右端面に前記第五滑り溝の右端壁と当接する第二ばねが固定的に取り付けられ、前記第二ばねが前記第一通電ブロックを左に押圧し前記導電輪と当接させ、前記第一滑り空間の底壁の中には前記第一通電ブロックと電気的に接続する第二通電ブロックが固定的に取り付けられ、前記滑りブロックの下端面に商用電源と接続し、前記第二通電ブロックと係合する電力供給ブロックが固定的に取り付けられ、前記第二滑り空間の上下の端壁に対称に第二導移溝が設置され、前記第二導移溝に前記滑り軸と固定的に接続する第二導移ブロックが摺動可能なように取り付けられ、前記第二導移溝に前記第二導移ブロックと固定的に接続する第三ばねが固定的に取り付けられ、前記第三滑り空間に上下に対称に第三導移溝が設置され、前記第三導移溝に前記清掃板と固定的に接続する第三導移ブロックが摺動可能なように取り付けられ、前記第三導移溝に前記第三導移ブロックと固定的に接続する第四ばねが固定的に取り付けられることを特徴とする数値制御工作機械装置。
【手続補正２】
【補正対象書類名】明細書
【補正対象項目名】全文
【補正方法】変更
【補正の内容】
【発明の詳細な説明】
【技術分野】
【０００１】
本発明は機械化設備技術分野に関し、具体的には数値制御工作機械装置に関する。
【背景技術】
【０００２】
数値制御工作機械は現在の工業加工生産の中で広く使用され、数値制御工作機械を一回使用したら洗浄剤を使って清掃する必要があり、洗浄剤は強い刺激性を持つため、攪拌装置を使ってかき混ぜる必要があり、しかし伝統的な攪拌装置の設定モードは簡単で、使用した後に自動的に清掃することを実現できず、内部に多くの試薬残留物が残して、二回目に使用する際に深刻な影響がある。
【先行技術文献】
【特許文献】
【０００３】
【特許文献１】中国特許出願公開第107755758号明細書
【発明の概要】
【発明が解決しようとする課題】
【０００４】
上記の技術の不足に対して、本発明は数値制御工作機械装置を提供した。
【課題を解決するための手段】
【０００５】
本発明に係る数値制御工作機械装置は、支持台に固定的に取り付けられるハウジングを含み、前記支持台の四つの角底にスピン穴が設置され、且つ全ての前記スピン穴にスピンピッチ角が係合し取り付けられ、前記スピンピッチ角を通じて地面がでこぼこしている時に昇降調整を行って、支持する時の安定性を増加できる。前記ハウジングに筐体が設置され、前記筐体の底壁に外部と連結する輸送溝が設置され、前記輸送溝に閉鎖弁が固定的に取り付けられ、前記筐体の頂壁に外部と連結する引入溝が設置され、前記筐体の頂壁にまた第一装着空間と前記第一装着空間の上に位置する第二装着空間が設置され、前記第一装着空間の底壁に上下に伸長する第一回転軸が回転可能なように取り付けられ、前記第一回転軸の上端が第二装着空間に伸びて回転ブロックが固定的に取り付けられ、下端が前記筐体に伸びて撹拌ブロックが取り付けられ、前記第一回転軸に上下に貫通している空穴が設置され、前記空穴の中にはベアリングを通じて上下に伸長する第二回転軸が回転可能なように取り付けられ、前記第二回転軸が前記回転ブロックと前記第一装着空間の頂壁を通り抜けて前記第二装着空間に伸びて、前記第二装着空間に前記第二回転軸と固定的に接続する第一円錐形プーリーが設置され、前記第一装着空間に第三回転軸を通じて第一ギアが取り付けられ、前記第三回転軸の上端が前記第一装着空間の頂壁に固定的に取り付けられる第一電動機と動力が伝達可能なように接続し、前記回転ブロックに前記第一ギアと係合し接続するリングギアが固定的に設置され、前記第二装着空間の右端壁に上下に伸長する第一滑り空間が設置され、前記第一滑り空間に上下に滑る滑りブロックが取り付けられ、前記滑りブロックに上下に伸長するロータが係合し取り付けられ、前記ロータの下端は前記第一滑り空間の下端壁に回転可能なように取り付けられ、上端は前記第一滑り空間の頂壁に固定的に取り付けられる第二電動機と動力が伝達可能なように接続し、前記第二装着空間の中には第四回転軸を通じて前記第一円錐形プーリーと係合し接続する第二円錐形プーリーが設置され、前記第四回転軸が前記滑りブロックに固定的に取り付けられる第三電動機と動力が伝達可能なように接続し、前記空穴に前記撹拌ブロックと対応し前記第二回転軸と固定的に接続する巻糸輪が設置され、前記撹拌ブロックに左右に貫通している第二滑り空間が設置され、前記第二滑り空間と前記空穴との間には互いに連結する第一連結溝が設置され、前記第二滑り空間に左右に滑る滑り軸が取り付けられ、前記滑り軸に左右に貫通している第二連結溝が設置され、前記撹拌ブロックが前記第一回転軸と離れる一端に前記滑り軸と固定的に接続する接連ブロックが設置され、前記接連ブロックに上下に貫通しており、且つ溝口が前記第一回転軸と離れる第三滑り空間が設置され、前記第三滑り空間に上下が対称に上下に滑る清掃板が取り付けられ、前記第三滑り空間と前記第二滑り空間との間には第三連結溝が設置され、前記第三滑り空間が軸レバーを通じて二つの清掃板の間に位置する定滑車を回転可能なように取り付け、二つの清掃板が相対する端面にロープが固定的に取り付けられ、前記ロープが前記定滑車を迂回し順番に前記第三連結溝、第二連結溝と第一連結溝を通り抜けて前記巻糸輪と固定的に接続し、前記回転ブロックにロック装置が設置され、前記第一装着空間の頂壁に電力供給装置が設置される。
【０００６】
好ましくは、前記ロック装置は前記回転ブロックの中に設置される第一回転チャンバを含み、前記第一回転チャンバの中には前記第二回転軸に固定的に設置される第二ギアが設置され、前記第一回転チャンバが前記第二ギアと離れる端壁に第五滑り溝が設置され、前記第五滑り溝に鉄ブロックが摺動可能なように取り付けられ、前記鉄ブロックが前記第二ギアに向かう端面に前記第二ギアと係合するロックギアが設置され、前記第五滑り溝が前記第二ギアと離れる端壁に前記鉄ブロックと係合する電磁吸引装置が固定的に取り付けられ、前記第五滑り溝の上下の端壁に対称に第一導移溝が設置され、前記第一導移溝に前記鉄ブロックと固定的に接続する第一導移ブロックが摺動可能なように取り付けられ、前記第一導移溝に前記第一導移ブロックと接続する第一ばねが取り付けられる。
【０００７】
前記電力供給装置は前記第一装着空間の頂壁に設置される第二回転チャンバと前記第二回転チャンバに設置され、前記第二回転軸と固定的に接続する導電輪を含み、前記第二回転チャンバの右端壁に第六滑り溝が設置され、前記第六滑り溝に第一通電ブロックが摺動可能なように取り付けられ、前記第一通電ブロックの右端面に前記第五滑り溝の右端壁と当接する第二ばねが固定的に取り付けられ、前記第二ばねが前記第一通電ブロックを左に押圧し前記導電輪とずっと当接させ、前記第一滑り空間の底壁の中には前記第一通電ブロックと電気的に接続する第二通電ブロックが固定的に取り付けられ、前記滑りブロックの下端面に商用電源と接続し前記第二通電ブロックと係合する電力供給ブロックが固定的に取り付けられる。
【０００８】
好ましくは、前記第二滑り空間の上下の端壁に対称に第二導移溝が設置され、前記第二導移溝に前記滑り軸と固定的に接続する第二導移ブロックが摺動可能なように取り付けられ、前記第二導移溝にまた前記第二導移ブロックと固定的に接続する第三ばねが固定的に取り付けられる。
【０００９】
好ましくは、前記第三滑り空間に上下に対称に第三導移溝が設置され、前記第三導移溝に前記清掃板と固定的に接続する第三導移ブロックが摺動可能なように取り付けられ、前記第三導移溝にまた前記第三導移ブロックと固定的に接続する第四ばねが固定的に取り付けられる。
【発明の効果】
【００１０】
本発明の有益な効果は、本発明が初期状態の時、前記滑りブロックが前記第一滑り空間の頂壁と当接し、前記電力供給ブロックが前記第二通電ブロックと接触せず、前記巻糸輪が前記ロープを巻き付け、これにより前記清掃板を完全に前記第三滑り空間に収縮させ、前記接連ブロックが前記撹拌ブロックと当接し、前記接連ブロックと前記清掃板が前記撹拌ブロックの回転を影響しなく、前記第一ばねの作用で、前記第一導移ブロックが第二ギアに向かって押圧され前記ロックギアと前記第二ギアを噛み合わせて、これにより前記巻糸輪が安定に前記ロープを巻き付ける。
【図面の簡単な説明】
【００１１】
本発明の実施例また既存の技術の中の技術方案をもっと明確に説明するため、下記に実施例また既存の技術の説明の中に使用する必要がある図面に簡単な紹介を行って、一目でわかることは下記の説明の中の図面はただ本発明のいくつかの実施例で、本領域の当業者にとって、創造的な労働を払わないことを前提に、これらの図面に基づいてそのほかの図面を得ることができる。
【００１２】
【図１】図１は本発明の数値制御工作機械装置の構造概略図である。
【図２】図２は図１の中の回転ブロック所の拡大構造概略図である。
【図３】図３は図１の中の撹拌ブロック所の拡大構造概略図である。
【図４】図４は図３の中の矢印の方向の構造概略図である。
【図５】図５は本発明の支持台の底部の構造概略図である。
【発明を実施するための形態】
【００１３】
本明細書に開示した全ての特徴、或いは開示した全ての方法、過程中のステップは、互いに排斥する特徴或いはステップ以外に、いかなる方式で組み合わせることができる。
【００１４】
本明細書に開示した全ての特徴は、特別な記述がない限り、そのほかの同等或いは類似する目的を持つ代替的な特徴に取り替えられる。つまり特別な記述がない限り、全ての特徴はただ一連の同等或いは類似する特徴の中の一つの例だけである。
【００１５】
図１−図５が示すように、本発明の数値制御工作機械装置は支持台10に固定的に取り付けられるハウジング11を含み、前記支持台10の四つの角底にスピン穴101が設置され、且つ全ての前記スピン穴101にスピンピッチ角102が係合し取り付けられ、前記スピンピッチ角102を通じて地面がでこぼこしている時に昇降調整を行って、支持する時の安定性を増加できる。前記ハウジング11に筐体16が設置され、前記筐体16の底壁に外部と連結する輸送溝27が設置され、前記輸送溝27に閉鎖弁26が固定的に取り付けられ、前記筐体16の頂壁に外部と連結する引入溝20が設置され、前記筐体16の頂壁にまた第一装着空間17と前記第一装着空間17の上に位置する第二装着空間24が設置され、前記第一装着空間17の底壁に上下に伸長する第一回転軸14が回転可能なように取り付けられ、前記第一回転軸14の上端が第二装着空間24に伸びて回転ブロック18が固定的に取り付けられ、下端が前記筐体16に伸びて撹拌ブロック15が取り付けられ、前記第一回転軸14に上下に貫通している空穴13が設置され、前記空穴13の中にはベアリングを通じて上下に伸長する第二回転軸21が回転可能なように取り付けられ、前記第二回転軸21が前記回転ブロック18と前記第一装着空間17の頂壁を通り抜けて前記第二装着空間24に伸びて、前記第二装着空間24に前記第二回転軸21と固定的に接続する第一円錐形プーリー39が設置され、前記第一装着空間17に第三回転軸23を通じて第一ギア25が取り付けられ、前記第三回転軸23の上端が前記第一装着空間17の頂壁に固定的に取り付けられる第一電動機22と動力が伝達可能なように接続し、前記回転ブロック18に前記第一ギア25と係合し接続するリングギア19が固定的に設置され、前記第二装着空間24の右端壁に上下に伸長する第一滑り空間31が設置され、前記第一滑り空間31に上下に滑る滑りブロック33が取り付けられ、前記滑りブロック33に上下に伸長するロータ32が係合し取り付けられ、前記ロータ32の下端は前記第一滑り空間31の下端壁に回転可能なように取り付けられ、上端は前記第一滑り空間31の頂壁に固定的に取り付けられる第二電動機34と動力が伝達可能なように接続し、前記第二装着空間24の中には第四回転軸36を通じて前記第一円錐形プーリー39と係合し接続する第二円錐形プーリー37が設置され、前記第四回転軸36が前記滑りブロック33に固定的に取り付けられる第三電動機35と動力が伝達可能なように接続し、前記空穴13に前記撹拌ブロック15と対応し前記第二回転軸21と固定的に接続する巻糸輪12が設置され、前記撹拌ブロック15に左右に貫通している第二滑り空間50が設置され、前記第二滑り空間50と前記空穴13との間には互いに連結する第一連結溝49が設置され、前記第二滑り空間50に左右に滑る滑り軸63が取り付けられ、前記滑り軸63に左右に貫通している第二連結溝51が設置され、前記撹拌ブロック15が前記第一回転軸14と離れる一端に前記滑り軸63と固定的に接続する接連ブロック58が設置され、前記接連ブロック58に上下に貫通しており、且つ溝口が前記第一回転軸14と離れる第三滑り空間52が設置され、前記第三滑り空間52に上下が対称に上下に滑る清掃板64が取り付けられ、前記第三滑り空間52と前記第二滑り空間50との間には第三連結溝が設置され、前記第三滑り空間52が軸レバー59を通じて二つの清掃板64の間に位置する定滑車53を回転可能なように取り付け、二つの清掃板64が相対する端面にロープ57が固定的に取り付けられ、前記ロープ57が前記定滑車53を迂回し順番に前記第三連結溝、第二連結溝51と第一連結溝49を通り抜けて前記巻糸輪12と固定的に接続し、前記回転ブロック18にロック装置が設置され、前記第一装着空間17の頂壁に電力供給装置が設置される。
【００１６】
好ましくは前記ロック装置は前記回転ブロック18の中に設置される第一回転チャンバ65を含み、前記第一回転チャンバ65の中には前記第二回転軸21に固定的に設置される第二ギア42が設置され、前記第一回転チャンバ65が前記第二ギア42と離れる端壁に第五滑り溝47が設置され、前記第五滑り溝47に鉄ブロック43が摺動可能なように取り付けられ、前記鉄ブロック43が前記第二ギア42に向かう端面に前記第二ギア42と係合するロックギアが設置され、前記第五滑り溝47が前記第二ギア42と離れる端壁に前記鉄ブロック43と係合する電磁吸引装置48が固定的に取り付けられ、前記第五滑り溝47の上下の端壁に対称に第一導移溝46が設置され、前記第一導移溝46に前記鉄ブロック43と固定的に接続する第一導移ブロック44が摺動可能なように取り付けられ、前記第一導移溝46に前記第一導移ブロック44と接続する第一ばね45が取り付けられ、前記第一ばね45が前記第一導移ブロック44を前記第二ギア42に向かって押圧し前記ロックギアを前記第二ギア42と噛み合わせる。
【００１７】
好ましくは前記電力供給装置は前記第一装着空間26の頂壁に設置される第二回転チャンバ40と前記第二回転チャンバ40に設置され前記第二回転軸21と固定的に接続する導電輪41を含み、前記第二回転チャンバ40の右端壁に第六滑り溝29が設置され、前記第六滑り溝29に第一通電ブロック27が摺動可能なように取り付けられ、前記第一通電ブロック27の右端面に前記第五滑り溝29の右端壁と当接する第二ばね28が固定的に取り付けられ、前記第二ばね28が前記第一通電ブロック27を左に押圧し前記導電輪41とずっと当接させ、前記第一滑り空間31の底壁の中には前記第一通電ブロック27と電気的に接続する第二通電ブロック30が固定的に取り付けられ、前記滑りブロック33の下端面に商用電源と接続し前記第二通電ブロック30と係合する電力供給ブロック38が固定的に取り付けられ、これにより前記電力供給ブロック38が前記第二通電ブロック30と当接する時、前記電磁吸引装置48に電力を供給する。
【００１８】
好ましくは前記第二滑り空間50の上下の端壁に対称に第二導移溝54が設置され、前記第二導移溝54に前記滑り軸63と固定的に接続する第二導移ブロック55が摺動可能なように取り付けられ、前記第二導移溝54にまた前記第二導移ブロック55と固定的に接続する第三ばね56が固定的に取り付けられ、前記第三ばね56が前記第二導移ブロック55を巻糸輪12と離れて押圧する。
【００１９】
好ましくは前記第三滑り空間52に上下に対称に第三導移溝62が設置され、前記第三導移溝62に前記清掃板64と固定的に接続する第三導移ブロック61が摺動可能なように取り付けられ、前記第三導移溝62にまた前記第三導移ブロック61と固定的に接続する第四ばね60が固定的に取り付けられ、前記第四ばね60が前記第三導移ブロック61を前記定滑車53と離れて押圧する。
【００２０】
使用する時、前記閉鎖弁26を閉めて、前記引入溝20から洗浄剤と水を前記筐体16に加え、その後に第一電動機22を起動し、前記第一電動機22が前記第一ギア25を通じて前記回転ブロック18を回転可能なように駆動し、前記回転ブロック18が前記第一回転軸14と連動して回転可能にし、前記第一回転軸14が前記撹拌ブロック15と連動して回転可能なように洗浄剤と水をかき混ぜて、洗浄剤と水の混合が完了した後、閉鎖弁26を起動し、試薬混合物が前記輸送溝27から流れ出て、全部の試薬混合物が流れ出た後、前記閉鎖弁26を閉めて、前記引入溝20にきれいな水を加え、その後に前記第二電動機34を起動し、前記第二電動機34が前記ロータ32を通じて前記滑りブロック33を駆動し下にスライドし、前記電力供給ブロック38が前記第二通電ブロック30と当接する時、前記電磁吸引装置48に電力を供給し前記鉄ブロック43に働きかけて、これにより前記ロックギアと前記第二ギア42と離れて噛み合って、この時に前記第二円錐形プーリー37が前記第一円錐形プーリー39と噛み合って、その後に前記第三電動機35を起動し、前記第三電動機35が前記第二回転軸21を回転可能なように駆動し前記巻糸輪12と連動して前記ロープ57に巻戻し作業を行って、前記第三ばね56と第四ばね60の作用で、前記接連ブロック58と前記清掃板64が前記筐体16の内壁と張り合わせ、前記清掃板64が上下に伸びて、その後に逆に前記第二電動機34を起動し、前記第二電動機34が前記ロータ32を通じて前記滑りブロック33を駆動し上にスライドして前記第二円錐形プーリー37と前記第一円錐形プーリー39と離れて噛み合って、前記電力供給ブロック38と前記第二通電ブロック30と離れて当接し、その後に前記第一電動機22を起動し、前記第一電動機22が前記第一回転軸14を回転可能なように駆動し、前記第一回転軸14が前記接連ブロック58と清掃板54と連動して前記筐体16の内壁を清掃し、清掃した後の廃水は前記輸送溝27を通じて排出する。
【００２１】
本発明の有益な効果は、本発明が初期状態の時、前記滑りブロックが前記第一滑り空間の頂壁と当接し、前記電力供給ブロックが前記第二通電ブロックと接触せず、前記巻糸輪が前記ロープを巻き付け、これにより前記清掃板を完全に前記第三滑り空間に収縮させ、前記接連ブロックが前記撹拌ブロックと当接し、前記接連ブロックと前記清掃板が前記撹拌ブロックの回転を影響しなく、前記第一ばねの作用で、前記第一導移ブロックが第二ギアに向かって押圧され前記ロックギアと前記第二ギアを噛み合わせて、これにより前記巻糸輪が安定に前記ロープを巻き付ける。
【００２２】
本発明を使用する時、前記閉鎖弁を閉めて、前記引入溝から洗浄剤と水を前記筐体に加え、その後に第一電動機を起動し、前記第一電動機が前記第一ギアを通じて前記回転ブロックを回転可能なように駆動し、前記回転ブロックが前記第一回転軸と連動して回転可能にし、前記第一回転軸が前記撹拌ブロックと連動して回転可能なように洗浄剤と水をかき混ぜる。
【００２３】
全部の試薬混合物が流れ出た後、前記閉鎖弁を閉めて、前記引入溝にきれいな水を加え、その後に前記第二電動機を起動し、前記第二電動機が前記ロータを通じて前記滑りブロックを駆動し下にスライドし、前記電力供給ブロックが前記第二通電ブロックと当接する時、前記電磁吸引装置に電力を供給し前記鉄ブロックに働きかけて、これにより前記ロックギアと前記第二ギアと離れて噛み合って、この時に前記第二円錐形プーリーが前記第一円錐形プーリーと噛み合って、その後に前記第三電動機を起動し、前記第三電動機が前記第二回転軸を回転可能なように駆動し前記巻糸輪と連動して前記ロープに巻戻し作業を行って、前記第三ばねと第四ばねの作用で、前記接連ブロックと前記清掃板が前記筐体の内壁と張り合わせ、前記清掃板が上下に伸びて、その後に逆に前記第二電動機を起動し、前記第二電動機が前記ロータを通じて前記滑りブロックを駆動し上にスライドして前記第二円錐形プーリーと前記第一円錐形プーリーと離れて噛み合って、前記電力供給ブロックと前記第二通電ブロックと離れて当接し、その後に前記第一電動機を起動し、前記第一電動機が前記第一回転軸を回転可能なように駆動し、前記第一回転軸が前記接連ブロックと清掃板と連動して前記筐体の内壁を清掃する。
【００２４】
本発明は構造が簡単で、筐体内壁を清掃することが便利で、清掃効果も良い。
【００２５】
以上に本発明の基本原理、主な特徴と本発明の長所を表明し説明した。本業界の技術者が了解すべきなのは本発明は上記の実施例の制限を受けなく、上記の実施例と説明書に説明したのは本発明の原理で、本発明の意義と原理から離れない前提に本発明に各種の変化と改善があり、これらの変化と改善が本発明の保護範囲にある。本発明の保護範囲は添付の特許請求の範囲と同等内容に画定される。